(57)【要約】  複数の種別の画像データを記録媒体単位で保存及び管理可能な管理プログラムにおいて、コンピュータを、装填された記録媒体の識別情報と、既に画像データが保存された登録済みの記録媒体の識別情報とを比較する識別情報比較手段として機能させ、更に、装填された記録媒体に記録された画像データと既に保存されている画像データのデータ構成とを比較するデータ構成比較手段として機能させ、識別情報が同じ場合には、記録された画像データの保存を禁止、または、該画像データの中で既に保存されている画像データと重複する画像データの保存を禁止する記録制御手段として機能させることにより、所望の画像データを確実に保存、管理することができる。【特許請求の範囲】
【請求項１】
記録媒体に記録された複数の種別の画像データを、前記記録媒体単位で、特定の記録手段に保存、管理する管理プログラムにおいて、
コンピュータを、
前記記録手段に保存、管理されている画像データが記録されている記録媒体と同じ識別情報を有する記録媒体に対して、該記録媒体に記録されている画像データの保存を禁止する記録制御手段として機能させることを特徴とする管理プログラム。
【請求項２】
記録媒体に記録された複数の種別の画像データを、前記記録媒体単位で、特定の記録手段に保存、管理する管理プログラムにおいて、
コンピュータを、
前記記録手段に保存、管理されている画像データが記録されている第１の記録媒体を特定する第１の識別情報と、前記コンピュータに装填された第２の記録媒体を特定する第２の識別情報とを比較する識別情報比較手段、
前記第１の識別情報と前記第２の識別情報とが一致する場合に、前記第２の記録媒体に対して、該第２の記録媒体に記録されている画像データの保存を禁止する記録制御手段、として機能させることを特徴とする管理プログラム。
【請求項３】
記録媒体に記録された複数の種別の画像データを、前記記録媒体単位で、特定の記録手段に保存、管理する管理プログラムにおいて、
コンピュータを、
前記記録手段に保存、管理されている画像データが記録されている第１の記録媒体を特定する第１の識別情報と、前記コンピュータに装填された第２の記録媒体を特定する第２の識別情報とを比較する識別情報比較手段、
前記第１の識別情報と前記第２の識別情報とが一致する場合に、前記記録手段に保存、管理されている前記第１の記録媒体の画像データの第１のデータ構成と前記第２の記録媒体に記録された画像データの第２のデータ構成とを比較するデータ構成比較手段、
前記第１の識別情報と前記第２の識別情報とが異なる場合は、前記第２の記録媒体に記録されている画像データを前記記録手段に保存し、
前記第１の識別情報と前記第２の識別情報とが一致し、かつ、前記第１のデータ構成と前記第２のデータ構成とが異なる場合は、前記記録手段に保存、管理されている前記第１の記録媒体の画像データ以外の画像データを前記記録手段に保存し、
前記第１の識別情報と前記第２の識別情報とが一致し、かつ、前記第１のデータ構成と前記第２のデータ構成とが一致する場合は、前記第２の記録媒体に記録されている画像データの保存を禁止する記録制御手段、として機能させることを特徴とする管理プログラム。
【請求項４】
前記データ構成は、画像データの種別又は各々の前記種別の画像データの数量であることを特徴とする請求の範囲第３項に記載の管理プログラム。
【請求項５】
前記記録制御手段は、前記画像データを保存した場合に、保存した前記画像データ及び該画像データが記録されている記録媒体に関する情報をデータベースに登録することを特徴とする請求の範囲第１項に記載の管理プログラム。
【請求項６】
前記記録制御手段は、前記画像データの保存を禁止した場合に、該画像データが前記記録手段に既に保存されていることを示す情報を表示手段に表示させることを特徴とする請求の範囲第１項に記載の管理プログラム。
【請求項７】
前記記録制御手段は、前記記録手段に、予め定められたルールに従って生成された名称のフォルダを作成し、該フォルダに前記画像データを記録することを特徴とする請求の範囲第１項に記載の管理プログラム。
【発明の詳細な説明】
【技術分野】
【０００１】
本発明は、記録媒体に記録された画像データを保存、管理するための管理プログラムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。【０００４】
また、デジタルカメラやメディア、フィルムから読み取った画像データをＤＶＤプレーヤやＤＶＤレコーダ、ＨＤＤレコーダ、ゲーム機などの画像再生機器で再生可能なファイル形式の画像データに変換し、元の画像データと変換した画像データとをＣＤ−Ｒ、ＤＶＤ−Ｒなどの記録媒体に書き込むサービスも行われている。
【特許文献１】特開平５−１８２３７３号公報（第４−６頁、第３図）
【発明の開示】
【発明が解決しようとする課題】
【０００５】
上記サービスを利用することにより、デジタルカメラやメディア等に記録された画像データや画像再生機器用に変換された画像データなどが記録された記録媒体を入手することができ、更に記録媒体に記録された画像データをコンピュータ機器のハードディスクなどにバックアップすることにより画像データを保存、管理することができるが、上記サービスを頻繁に利用するユーザの場合は、どの記録媒体に記録された画像データをバックアップしたのかを憶えていないと、既にハードディスクなどに保存、管理されている画像データを再度バックアップしてしまったり、保存、管理されていない画像データがそのまま放置されてしまう恐れがあり、画像データを確実に保存、管理することができなくなってしまう。【０００６】
また、ハードディスクなどに保存、管理されている画像データと、記録媒体に記録されている画像データの種別や各々の種別の画像データの数量などが部分的に異なる場合は、どの画像データが保存されているのかをユーザ自身が判断しなければならないため、コンピュータ機器の操作に不慣れなユーザは、所望の画像データを確実に保存、管理することができなくなってしまう。【０００７】
そして、このような問題は、写真画像に基づく静止画像データに限らず、デジタルカメラなどで撮影して得られた動画データやインターネットなどを介して取得した音楽データ、コンテンツデータなどにおいても同様に生じる。【０００８】
本発明は、上記問題点に鑑みてなされたものであって、その主たる目的は、画像データを確実に保存、管理することができる管理プログラムを提供することにある。
【課題を解決するための手段】
【０００９】
上記目的を達成するため、本発明の管理プログラムは、記録媒体に記録された複数の種別の画像データを、前記記録媒体単位で、特定の記録手段に保存、管理する管理プログラムにおいて、コンピュータを、前記記録手段に保存、管理されている画像データが記録されている記録媒体と同じ識別情報を有する記録媒体に対して、該記録媒体に記録されている画像データの保存を禁止する記録制御手段として機能させるものである。【００１０】
また、本発明の管理プログラムは、記録媒体に記録された複数の種別の画像データを、前記記録媒体単位で、特定の記録手段に保存、管理する管理プログラムにおいて、コンピュータを、前記記録手段に保存、管理されている画像データが記録されている第１の記録媒体を特定する第１の識別情報と、前記コンピュータに装填された第２の記録媒体を特定する第２の識別情報とを比較する識別情報比較手段、前記第１の識別情報と前記第２の識別情報とが一致する場合に、前記第２の記録媒体に対して、該第２の記録媒体に記録されている画像データの保存を禁止する記録制御手段、として機能させるものである。【００１１】
また、本発明の管理プログラムは、記録媒体に記録された複数の種別の画像データを、前記記録媒体単位で、特定の記録手段に保存、管理する管理プログラムにおいて、コンピュータを、前記記録手段に保存、管理されている画像データが記録されている第１の記録媒体を特定する第１の識別情報と、前記コンピュータに装填された第２の記録媒体を特定する第２の識別情報とを比較する識別情報比較手段、前記第１の識別情報と前記第２の識別情報とが一致する場合に、前記記録手段に保存、管理されている前記第１の記録媒体の画像データの第１のデータ構成と前記第２の記録媒体に記録された画像データの第２のデータ構成とを比較するデータ構成比較手段、前記第１の識別情報と前記第２の識別情報とが異なる場合は、前記第２の記録媒体に記録されている画像データを前記記録手段に保存し、前記第１の識別情報と前記第２の識別情報とが一致し、かつ、前記第１のデータ構成と前記第２のデータ構成とが異なる場合は、前記記録手段に保存、管理されている前記第１の記録媒体の画像データ以外の画像データを前記記録手段に保存し、前記第１の識別情報と前記第２の識別情報とが一致し、かつ、前記第１のデータ構成と前記第２のデータ構成とが一致する場合は、前記第２の記録媒体に記録されている画像データの保存を禁止する記録制御手段、として機能させるものである。【００１２】
本発明においては、前記データ構成は、画像データの種別又は各々の前記種別の画像データの数量とすることができる。【００１３】
また、本発明においては、前記記録制御手段は、前記画像データを保存した場合に、保存した前記画像データ及び該画像データが記録されている記録媒体に関する情報をデータベースに登録する構成とすることができる。【００１４】
また、本発明においては、前記記録制御手段は、前記画像データの保存を禁止した場合に、該画像データが前記記録手段に既に保存されていることを示す情報を表示手段に表示させる構成とすることができる。【００１５】
また、本発明においては、前記記録制御手段は、前記記録手段に、予め定められたルールに従って生成された名称のフォルダを作成し、該フォルダに前記画像データを記録する構成とすることもできる。【００１６】
このように、本発明の構成によれば、管理プログラムにより、装填された記録媒体の識別情報と既に画像データが保存された登録済みの記録媒体の識別情報とが比較され、識別情報が同じ場合に記録先への保存が禁止（すなわち、識別情報が異なる場合にのみ、記録先への保存が許可）されるため、ユーザは自ら記録媒体が登録済みか未登録かを判断しなくても、画像データを重複して保存したり、保存されないまま放置されるなどの不具合を未然に防止することができる。また、識別情報が同じ場合に、更に、装填された記録媒体に記録された画像データのデータ構成（画像データの種別や各々の種別の画像データの数量など）と既に保存されている画像データのデータ構成とが比較され、既に保存されている画像データに包含されない画像データ（差分データ）のみが記録先に保存されてデータベースに登録されるため、所望の画像データを確実に保存、管理することができる。
【図面の簡単な説明】
【００１７】
【図１】図１は、本発明の一実施例に係る記録装置及びデータ管理装置の構成を模式的に示す図である。
【図２】図２は、本発明の一実施例に係るデータ管理装置の他の構成を示す図である。
【図３】図３は、本発明の一実施例に係るデータ管理装置の他の構成を示す図である。
【図４】図４は、本発明の一実施例に係るデータ管理装置の他の構成を示す図である。
【図５】図５は、本発明の一実施例に係るデータ管理装置の他の構成を示す図である。
【図６】図６は、本発明の一実施例に係るデータ管理装置の手段を示すブロック図である。
【図７】図７は、本発明の一実施例に係る記録装置を用いた記録媒体の作成手順を示すフローチャート図である。
【図８】図８は、本発明の一実施例に係るデータ管理装置を用いた画像データの保存手順を示すフローチャート図である。
【図９】図９は、本発明の一実施例の記録媒体におけるデータの記録構造を示す図である。
【図１０】図１０は、本発明の一実施例のデータ管理装置のハードディスクにおけるデータの記録構造を示す図である。
【図１１】図１１は、本発明の一実施例のデータ管理装置のハードディスクにおけるデータの記録構造を示す図である。
【図１２】図１２は、本発明の一実施例のデータ管理装置のハードディスクにおけるデータの記録構造を示す図である。
【図１３】図１３（ａ）及び（ｂ）は、本発明の一実施例のデータ管理装置のハードディスクにおけるデータの記録構造を示す図である。
【図１４】図１４は、本発明の一実施例の記録媒体におけるデータの記録領域を模式的に示す図である。
【図１５】図１５は、記録媒体（ＣＤ−Ｒ）の構造を模式的に示す図である。
【図１６】図１６は、本発明の一実施例のデータ管理装置の表示手段に表示される画面構成例を示す図である。
【発明を実施するための最良の形態】
【００１８】
本発明に係る管理プログラムは、その好ましい一実施の形態において、複数の種別の画像データを記録媒体単位で保存及び管理可能な管理プログラムにおいて、コンピュータを、装填された記録媒体の識別情報と、既に画像データが保存された登録済みの記録媒体の識別情報とを比較する識別情報比較手段、必要に応じて、識別情報が同じ場合に、装填された記録媒体に記録された画像データのデータ構成（画像データの種別や各々の種別の画像データの数量など）と、既に保存されている画像データのデータ構成とを比較するデータ構成比較手段、識別情報が同じ場合に、装填された記録媒体に記録された画像データの保存を禁止、又は、識別情報が同じ場合に、装填された記録媒体に記録された画像データの内、既に保存されている画像データと重複する画像データの保存を禁止する記録制御手段として機能させるものであり、ユーザは自ら該記録媒体が登録済みか未登録かを判断しなくても、画像データを重複して保存したり、保存されないまま放置するなどの不具合を未然に防止することができ、また、一旦、特定の種別の画像データを保存した後、他の種別の画像データを保存する場合などでも、所望の画像データを確実に保存、管理することができる。
【実施例】
【００１９】
上記実施形態について詳細に説明すべく、本発明の一実施例に係る管理プログラムについて、図１乃至図１５を参照して説明する。図１は、本発明の一実施例に係る記録装置及びデータ管理装置の構成を模式的に示す図である。また、図２乃至図５は、データ管理装置の他の構成を模式的に示す図であり、図６は、データ管理装置の手段を示すブロック図である。また、図７は、記録装置を用いた記録媒体の作成手順を示すフローチャート図であり、図８は、データ管理装置を用いた画像データの保存手順を示すフローチャート図である。また、図９乃至図１３は、データの記録構造を示す図、図１４は、記録媒体におけるデータの記録領域を示す図、図１５は記録媒体（ＣＤ−Ｒ）の構造を模式的に示す図である。また、図１６は、データ管理装置の表示手段に表示される画面構成例を示す図である。【００２０】
図１に示すように、本実施例のシステムは、記録媒体９を作成する記録装置１と、該記録媒体９を利用するデータ管理装置１０とからなり、記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１５を介してサーバ１６から画像データなどをダウンロードするネットワーク接続部等の入力制御手段と、メディア８やデジタルカメラ７から読み取った、又はサーバ１６からダウンロードした画像データやＤＶＤプレーヤやＤＶＤレコーダ、ゲーム機などで再生可能な形式に変換された画像データが記録されるＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４と、ボタン、キーボード、マウス等の操作部６及びＬＣＤ、ＣＲＴ等の表示部５（図では操作部６と表示部５とを兼ね備えるタッチパネルを示している。）とを備えている。【００２１】
また、データ管理装置１０は、少なくとも、記録媒体９を装填する記録媒体装填部１４と画像データを保存するハードディスク１１などの記録手段とを備えている。このデータ管理装置１０の手段をブロック図で示すと図６に示すようになる。すなわち、上記記録媒体９を装填する記録媒体装填部１４に装填された記録媒体９から画像データや識別情報を読み取る入力制御手段１７と、装填された記録媒体９の識別情報と、既に画像データの保存が行われ、データベースに登録された記録媒体の識別情報とを比較する識別情報比較手段１８と、必要に応じて、装填された記録媒体９に記録された画像データのデータ構成（画像データの種別や各々の種別の画像データの数量など）と、既に保存されている画像データのデータ構成とを比較するデータ構成比較手段１９と、ハードディスク１１などの記録手段に画像データを記録すると共にデータベースとなる情報を登録する記録制御手段２０と、モニタ等の表示手段１２と、キーボード、マウス等の操作手段１３とを備えている。【００２２】
なお、上記各手段はデータ管理装置１０にハードウェアとして構成されていてもよいし、コンピュータを、少なくとも、識別情報比較手段１８、記録制御手段２０として機能させる管理プログラムとして構成し、該管理プログラムをデータ管理装置１０にインストールして実行する構成としてもよい。また、図１ではデータ管理装置１０としてパーソナルコンピュータを用いる場合を示しているが、データ管理装置１０の形態も任意であり、例えば、図２に示すように専用のセットトップボックスとしたり、図３に示すようにポータブルライターとしたり、図４に示すように演算処理手段を備えるＨＤＤレコーダやＤＶＤレコーダ、ゲーム機としたり、図５に示すように、演算処理手段を備えるカーナビゲーション装置などとすることもできる。【００２３】
次に、上記構成の記録装置１を用いて記録媒体９を作成する手順について、図７のフローチャート図を参照して説明する。【００２４】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１５に接続すると共に、記録媒体装填部４に記録媒体９を装填する。なお、記録媒体９はデータが記録されていないものを用いてもよいし、管理プログラムやスライドショープログラムなどの他のプログラム、音楽データなどが予め記録された記録媒体をユーザが購入する構成としてもよい。次に、ステップＳ１０２で、デジタルカメラ７やメディア８に記録された画像データ（静止画像データや動画データ、画像情報を含むデータなどを総称して画像データと呼ぶ。）やサーバ１６に記録された画像データを読み取り、必要に応じて、表示部５や操作部６を用いて記録媒体９に記録する画像データを選択する。【００２５】
次に、ステップＳ１０３で、必要に応じて、画像データを音楽付きスライドショーとして再生するためのＢＧＭとして利用する音楽データをメディア８やサーバ１６、記録装置１の記憶手段などから読み取る。なお、音楽データはユーザが選択してもよいし、予めデフォルトとして設定された音楽データを用いてもよい。【００２６】
次に、ステップＳ１０４で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。【００２７】
次に、ステップＳ１０５で、必要に応じて、読み取った画像データをＤＶＤプレーヤやＤＶＤレコーダ、ＨＤＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。【００２８】
次に、入力された画像データや作成された縮小画像データ、変換された動画データを記録媒体９に記録するが、その際、任意の記録媒体９に対してデータの記録ができるようにしてもよいし、正規に作成された記録媒体９に対してのみデータの記録を許可するようにしてもよい。後者の場合は、例えば、ステップＳ１０６で、記憶手段に予め記憶された位置情報（例えば、物理アドレス）を参照して、該位置に予め特定の識別情報が書き込まれているか否かを判断し、識別情報が書き込まれている場合にのみデータの記録を開始する構成とすることができる。【００２９】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。【００３０】
ここで、一般的な記録媒体９の構造について、図１５を参照して説明すると、ＣＤ-Ｒは、ポリカーボネート基板１００上に、シアニン、フタロシアニン、アゾなどの有機色素層１０１と銀などの反射層１０２とオーバーコート層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称などの情報を記録媒体９の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に記録媒体９の識別情報を書き込むことにより、識別情報自体がコピーされないようにすることができる。【００３１】
なお、識別情報の具体的な構成は任意であるが、上記したように記録媒体９の論理アドレス領域外にはメーカの名称が予め記録されていることから、このメーカの名称と記録媒体９に対して付与される番号とを識別情報として用いることにより、記録媒体９が正規に作成されたものか否かを簡単かつ確実に識別することができる。【００３２】
そして、識別情報が書き込まれている記録媒体９にデータを記録するが、画像再生機器ではデータを読み込むことができる記録領域が限定されるため、ステップＳ１０７で、変換された動画データや関連付けファイル等（以下、これらを総称して画像再生機器用データ群と呼ぶ。）を予め設けた書き込み用の所定のフォルダに転送した後、該フォルダから画像再生機器用データ群を読み出して、記録媒体９の論理アドレス領域の内側に記録する。その後、ステップＳ１０８で、コンピュータ機器用のデータの記録を行う前に、画像再生機器で使用可能なデータの領域を区分するために一旦セッションをクローズする。【００３３】
次に、ステップＳ１０９で、画像データと必要に応じてスライドショープログラムなどのアプリケーションや設定ファイル、情報ファイル、音楽データなど（以下、これらを総称してコンピュータ機器用データ群と呼ぶ。）を予め設けた書き込み用の所定のフォルダに転送した後、該フォルダからコンピュータ機器用データ群を読み出して、記録媒体９に先に記録された画像再生機器用データ群の外側に記録して一連の書き込み処理を終了する。【００３４】
上記手順で作成された記録媒体９には図１４に示すように各種情報が記録され、ディスク型記録媒体９の最も内側の論理アドレス領域外には、必要に応じて所定の形式（好ましくはファイル形式でないデータ形式）の識別情報が記録され、その外側の論理アドレス領域の内側には、必要に応じて画像再生機器用データ群が記録され、更にその外側には画像データを含むコンピュータ機器データ群が記録される。【００３５】
また、上記手順で作成された記録媒体９の記録構造は、例えば、図９に示すようになり、コンピュータ機器用データ群は、”PS_Roll”フォルダ内の画像データ、サムネイル画像データ、スクリーンネイル画像データなどの複数の種別の画像データ（画像データ群）と、記録媒体９に関する各種情報が記録された情報ファイル（info.txt）、”APPL”フォルダ内のスライドショープログラム、スライドショーの設定ファイル、自動起動ファイル（Autorun.inf）などの他のデータ群とで構成され、画像再生機器用データ群は、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成される。また、上記情報ファイル（info.txt）には、例えば、記録媒体９の識別情報（記録媒体９の論理アドレス領域外に記録された識別情報と同じであっても異なっていてもよい）や記録媒体９のタイトル、撮影日時情報、記録媒体９に記録されている画像データ群（ロール）の数、各々の画像データ群の識別情報（ロールＩＤ）などが記録される。【００３６】
なお、画像データ群の記録構造は任意であるが、画像データ群をデータ管理装置１０などにバックアップした場合における管理を容易にするために、予め定められたルールに従ってフォルダを構成し、そのフォルダにユニークな名称を付与することが好ましい。例えば、図９に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、ここではRO030416001_12345601C001）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などすることもできる。【００３７】
次に、上記記録装置１で作成された記録媒体９に記録された画像データ群を、管理プログラムで保存、管理される領域（ここではデータ管理装置１０のハードディスク１１）に保存する手順について、図８のフローチャート図を参照して説明する。【００３８】
まず、ステップＳ２０１で、記録媒体９をデータ管理装置１０の記録媒体装填部１４に装填する。すると、ステップＳ２０２で、識別情報比較手段１８は、記録媒体装填部１４に装填された記録媒体９から情報ファイルを読み込んで、該情報ファイル中に記述された記録媒体９の識別情報（アルバムＩＤ）を特定すると共に、ハードディスク１１などに予め記録されているデータベースを参照して、既に画像データの保存が行われた登録済みの記録媒体の識別情報を抽出し、装填された記録媒体９の識別情報と登録済みの記録媒体の識別情報とを比較する。【００３９】
次に、ステップＳ２０３で、双方の識別情報が異なる場合は、該記録媒体９に記録されている画像データはハードディスク１１に保存されていないと判断して、ステップＳ２０４で、入力制御手段１７を用いて、記録媒体９から全ての種別の画像データを読み出し、ステップＳ２０５で、読み出した画像データのファイルが破損していないかなどのファイルチェックを行い、その後、ステップＳ２０６で、記録制御手段２０を用いて、該画像データをハードディスク１１などの記録先に記録する。【００４０】
上記手順で保存された画像データの記録構造は任意であるが、画像データの管理を容易にするために、記録媒体９に図９に示すようなデータ構造で画像データが記録されている場合はそのデータ構造を維持して記録されることが好ましい。その場合、画像データの記録構造は図１０に示すようになり、ハードディスク１１の任意の記録位置に、画像データの格納場所を示すフォルダ（PS_Roll）が作成され、その下位の階層にメディア８毎、機器毎、フィルム毎の画像データの格納場所を示すフォルダ（RO030416001_12345601C001）が作成され、そのフォルダ内にオリジナルの画像データ（OR030416000001.jpg〜OR030416000010.jpg）が格納され、更に、サムネイル画像データの格納場所を示すフォルダ（THM）内にサムネイル画像データ（TH030416000001.jpg〜TH030416000010.jpg）、スクリーンネイル画像データの格納場所を示すフォルダ（SCREEN）内にスクリーンネイル画像データ（SC030416000001.jpg〜SC030416000010.jpg）が格納される。また、複数のロールの画像データを保存する場合における管理を容易にするために、PS_Rollフォルダの上位の階層に、移住してきた画像データの格納場所を示すフォルダ（PSYYMMDDyyy_XXXXXXAAB：YYMMDD、yyy、XXXXXX、AA、Bの意味は上記と同様）などを作成してもよい。【００４１】
次に、ステップＳ２０７で、同じ記録媒体９が装填された場合に画像データが重複して保存されないようにするために、該記録媒体９に関する情報をデータベースとして登録する。このデータベースは、同じ記録媒体９の画像データの保存を防止することができる情報が登録されている限りにおいて、その内容は特に限定されないが、例えば、アルバム情報が記述されたアルバムテーブルと、各々の画像データ群（ロール）の情報が記述されたロールテーブルと、各々の画像データの情報が記述されたファイルテーブルと、ｅｘｉｆ形式の画像データの情報が記述されたｅｘｉｆテーブルとで構成することができる。【００４２】
また、アルバムテーブルは、記録媒体９の識別情報（アルバムＩＤ）、記録媒体９のタイトル（アルバムタイトル）、撮影日時情報、保存された画像データの種別（例えば、オリジナルの画像データが記録されているか、縮小画像データのみが記録されているかなど）を示すアルバムステータス、アルバムがお気に入り登録されているか否かを示すアルバム種、アルバム内の画像データがリンクされているか否かを示すアルバムリンクなどで構成し、ロールテーブルは、アルバムＩＤ、画像データ群（ロール）の識別情報（ロールＩＤ）、ロール内の画像データの数量を示す総画像数、ロールの作成日時情報などで構成し、ファイルテーブルは、ロールＩＤ、ファイル名、フレームナンバー、ファイルの種類、ファイルの保存先、画像が回転されているか否かを示す回転情報、ファイルがリンクされているか否かを示すファイルリンク、オリジナルの画像データがあるか否かを示す保存ステータスなどで構成し、ｅｘｉｆテーブルは、ロールＩＤ、ファイル名撮影日時情報、画像タイトル、画像メモなどで構成することができる。【００４３】
また、ステップＳ２０３で、双方の識別情報が同じ場合は、ステップＳ２０８で、データ構成比較手段１９は、記録媒体装填部１４に装填された記録媒体９に記録されている画像データのデータ構成（例えば、上記画像データの種別や各々の種別の画像データの数量など）を特定すると共に、ハードディスク１１などに予め記録されているデータベースの中の情報（上記構成の場合は、アルバムテーブルのアルバム種やロールテーブルの総画像数など）を参照して、既に保存されている画像データのデータ構成を抽出し、これらを比較する。そして、ステップＳ２０９で、データ構成が同一の場合は、新たに保存すべき画像データが無いと判断して記録制御手段２０は画像データの記録を禁止し、必要に応じて、ステップＳ２１３でデータ管理装置１０の表示手段１２に、図１６に示すように、記録媒体９に記録されている画像データが既にハードディスク１１などの記録先に保存されていることを示すメッセージが記載された表示画面２１を表示して処理を終了する。【００４４】
また、データ構成の中のいずれかの要素が異なる場合は、ステップＳ２１０で、データ構成比較手段１９は、既に保存されている画像データに包含されない画像データ（差分データ）を特定して、ステップＳ２１１で、記録制御手段２０を用いて、該差分データをハードディスク１１などの記録先に記録する。【００４５】
具体的に説明すると、例えば、装填された記録媒体９には図９に示すようにオリジナルの画像データと縮小画像データ（サムネイル画像データ及びスクリーンネイル画像データ）とが記録されているが、ハードディスク１１に既に保存されているデータが図１１（ａ）に示すように縮小画像データのみであった場合は、データ構成比較手段１９は、オリジナルの画像データを差分データとして特定して、図１１（ｂ）に示すように、該差分データのみをRO030416001_12345601C001フォルダに追加する。【００４６】
また、例えば、ハードディスク１１に既に保存されている画像データが図１２（ａ）に示すようにオリジナルの画像データのみであった場合は、データ構成比較手段１９は、縮小画像データ（サムネイル画像データ又はスクリーンネイル画像データの少なくとも一方）を差分データとして特定して、図１２（ｂ）に示すように、該差分データのみをRO030416001_12345601C001フォルダに追加する。【００４７】
また、例えば、装填された記録媒体９には図９に示すようにオリジナルの画像データと縮小画像データとが各々１０個ずつ記録されているが、ハードディスク１１に既に保存されている画像データが、図１３（ａ）に示すようにオリジナルの画像データが５個、縮小画像データ（サムネイル画像データ及びスクリーンネイル画像データ）が各々１０個であった場合は、データ構成比較手段１９は、５個のオリジナルの画像データ（OR030416000006.jpg〜OR030416000010.jpg）を差分データとして特定して、図１３（ｂ）に示すように、該差分データのみをRO030416001_12345601C001フォルダに追加する。【００４８】
その後、ステップＳ２１２で、同じ記録媒体９が装填された場合に画像データが重複して記録されないようにするために、差分データに関する情報をデータベースに記録してデータベースを更新する。このデータベースは、上記と同様に、同じ記録媒体９の画像データの保存を防止することができる情報が登録されている限りにおいて、その内容は特に限定されないが、例えば、アルバム情報が記述されたアルバムテーブルと、各々の画像データ群（ロール）の情報が記述されたロールテーブルと、各々の画像データの情報が記述されたファイルテーブルと、ｅｘｉｆ形式の画像データの情報が記述されたｅｘｉｆテーブルとで構成することができ、図１１及び図１２の構成の場合はアルバムテーブルのアルバム種を更新し、図１３の構成の場合はロールテーブルの総画像数、ファイルテーブルのファイル名などを更新する。【００４９】
上記説明では、装填された記録媒体９の識別情報と、既に画像データが保存された登録済みの記録媒体の識別情報とが同じ場合に、画像データのデータ構成を比較する構成としたが、識別情報が同じ場合に、データ構成を比較することなく、直ちに画像データの保存を禁止するようにしてもよい。【００５０】
このように、本実施例では、記録媒体９に記録された画像データをデータ管理装置１０のハードディスク１１などの記録先に保存する場合、まず、記録媒体の識別情報を比較し、識別情報が同じ場合は、必要に応じて、画像データのデータ構成（画像データの種別や各々の種別の画像データの数量など）を比較し、同じ画像データが既に保存されている場合には画像データの保存を禁止する制御が行われるため、ユーザ自身が記録媒体９が未登録であるか既登録であるかを判断しなくても、間違って既登録の記録媒体９に記録された画像データが重複して保存されたり、未保存のまま放置されるなどの不具合を未然に防止することができる。また、一旦、特定の種別の画像データを保存した後、他の種別の画像データを保存する場合などでも、差分データのみが保存、管理されるため、記録先に確実に画像データを保存、管理することができる。【００５１】
なお、上記実施例では、管理プログラムにより画像データを管理する場合について記載したが、本発明は上記実施例に限定されるものではなく、管理プログラムにより音楽データやコンテンツなどの他の種類のデータを管理する場合についても同様に適用することができる。
【産業上の利用可能性】
【００５２】
本発明の管理プログラムによれば、下記記載の効果を奏する。【００５３】
本発明の第１の効果は、ユーザは自ら記録媒体が登録済みか未登録かを判断しなくても、未登録の記録媒体に記録された画像データのみを記録することができるということである。【００５４】
その理由は、管理プログラムでは、コンピュータに装填された記録媒体から識別情報を読み取ると共に、データベースから既に画像データが保存された記録媒体の識別情報を抽出して比較し、双方の識別情報が同じ場合にコンピュータのハードディスクなどの記録先への保存が禁止、すなわち、双方の識別情報が異なる場合に記録先への保存が許可されてデータベースに登録されるため、登録済みの記録媒体に記録された画像データを重複して保存することがないからである。【００５５】
また、本発明の第２の効果は、所望の画像データを確実に保存、管理することができるということである。【００５６】
その理由は、コンピュータに装填された記録媒体の識別情報と既に画像データが保存された登録済みの記録媒体の識別情報とが同じ場合に、更に、装填された記録媒体に記録された画像データのデータ構成（画像データの種別や各々の種別の画像データの数量など）と、既に保存されている画像データのデータ構成とが比較され、既に保存されている画像データに包含されない画像データ（差分データ）のみがコンピュータのハードディスクなどの記録先に保存されるため、一旦、特定の種別の画像データを保存した後、他の種別の画像データを保存する場合などでも、差分データのみを保存することができるからである。
【図１】
2005103902.tif 000002
【図２】
2005103902.tif 000003
【図３】
2005103902.tif 000004
【図４】
2005103902.tif 000005
【図５】
2005103902.tif 000006
【図６】
2005103902.tif 000007
【図７】
2005103902.tif 000008
【図８】
2005103902.tif 000009
【図９】
2005103902.tif 000010
【図１０】
2005103902.tif 000011
【図１１】
2005103902.tif 000012
【図１２】
2005103902.tif 000013
【図１３】
2005103902.tif 000014
【図１４】
2005103902.tif 000015
【図１５】
2005103902.tif 000016
【図１６】
2005103902.tif 000017
【国際調査報告】
2005103902.tif 000018
2005103902.tif 000019